(57)【要約】      （修正有）【課題】シャワー浴可能で、且つシャワー浴用のシャワー水と異なる圧力の加圧水を噴射するマッサージ機能付きのシャワー装置を提供する。【解決手段】座部２及び背もたれ部１３と、座部２に座った利用者にシャワー水を噴出するシャワー浴部３と、利用者に水を噴射する水マッサージ部３５と、シャワー浴部３及び水マッサージ部３５に水を供給する給水路８と、水マッサージ部３５に供給する水を加圧する加圧ポンプ４０とを備え、給水路８の下流側が流路切替弁７を介して、水マッサージ部３５に連通する第１流路３６と、シャワー浴部３に連通する第２流路２３とに分岐し、加圧ポンプ４０で加圧した水を水マッサージ部３５のみに供給する状態を有する。【選択図】図４
2013143995.tif 000002
【特許請求の範囲】
【請求項１】
座部及び背もたれ部と、前記座部に座った利用者にシャワー水を噴出するシャワー浴部と、前記利用者に水を噴射する水マッサージ部と、前記シャワー浴部及び前記水マッサージ部に水を供給する給水路と、前記水マッサージ部に供給する水を加圧する加圧ポンプとを備え、
前記給水路の下流側が流路切替弁を介して、前記水マッサージ部に連通する第１流路と、前記シャワー浴部に連通する第２流路とに分岐し、
前記加圧ポンプで加圧した水を前記水マッサージ部のみに供給する状態を有することを特徴とするシャワー装置。
【請求項２】
前記給水路の前記流路切替弁より上流側が前記流路切替弁で、前記第１流路のみに連通する状態と、前記第２流路のみに連通する状態とに切替自在であることを特徴とする請求項１に記載のシャワー装置。
【請求項３】
前記第１流路に前記加圧ポンプを設けたことを特徴とする請求項１又は請求項２に記載のシャワー装置。
【請求項４】
前記給水路の前記流路切替弁より上流側が前記流路切換弁を介して、前記第１流路及び前記第２流路と連通する状態を有し、
この状態の場合に、前記加圧ポンプが前記水を加圧することを特徴とする請求項３に記載のシャワー装置。
【請求項５】
前記シャワー浴部として、前記シャワー水を噴霧するミストシャワー部と、前記利用者の頭上に前記シャワー水を噴出する頭上シャワー部との両方を備えることを特徴とする請求項１乃至請求項４のいずれか一項に記載のシャワー装置。
【請求項６】
前記給水路の上流側が前記流路切替弁を介して前記シャワー浴部に連通する状態において、前記シャワー浴部として前記ミストシャワー部のみに連通する場合と、前記シャワー浴部として前記頭上シャワー部のみに連通する場合とに切換え自在であることを特徴とする請求項５に記載のシャワー装置。
【請求項７】
前記シャワー浴部として、前記シャワー水を噴霧するミストシャワー部と、前記利用者の頭上に前記シャワー水を噴出する頭上シャワー部とのうち一方を備えることを特徴とする請求項１乃至請求項４のいずれか一項に記載のシャワー装置。
【請求項８】
前記水マッサージ部が、一つの噴射口から噴射方向を切り替えながら前記水を噴射する噴射ノズルを備えることを特徴とする請求項１乃至請求項７のいずれか一項に記載のシャワー装置。
【請求項９】
前記背もたれ部に凹陥部を設け、前記凹陥部から前記噴射口を突没自在で前記水マッサージ部を前記凹陥部に配置したことを特徴とする請求項１乃至８のいずれか一項に記載のシャワー装置。
【発明の詳細な説明】
【技術分野】
【０００１】
本発明は、シャワー装置に関する。
【背景技術】
【０００２】
特許文献１には、シャワー浴装置本体と、入浴者が座るための座部と、手で掴んで移動自在なハンドシャワーヘッドと、入浴者に流体を噴出するための噴霧ノズルとを備えたシャワー装置を開示している。この特許文献１のシャワー装置は、入浴者が座部に座った姿勢で、噴霧ノズルから湯水を浴びてシャワー浴を行ったり、片手でハンドシャワーヘッドを持ってシャワー水を噴射して身体洗浄を行ったりするものである。
【先行技術文献】
【特許文献】
【０００３】
【特許文献１】ＷＯ９７／３０６１９号公報
【発明の概要】
【発明が解決しようとする課題】
【０００４】
特許文献１に示された例では、噴霧ノズルやハンドシャワーヘッドの形状によって、若干差を生じるが、噴霧ノズルからのシャワー水とハンドシャワーヘッドからのシャワー水とが略同じ水圧で噴出される構成になっている。
【０００５】
ところで、噴霧等のシャワー水に比べて高い水圧で水を噴射することで、指圧マッサージのような水マッサージを行うことができる。そして、特許文献１等のシャワー装置では、シャワー水を噴出可能な程度の水圧で水を供給しても、指圧マッサージのような水の噴射によるマッサージ（水マッサージ）を行い難いという問題がある。また、例えば、上記水マッサージ用の水圧の水を噴霧ノズル等に供給した場合、霧状のシャワー水の噴出が困難になる等で、シャワー浴が困難になり易い。
【０００６】
つまり、従来のシャワー装置は、シャワー水を噴出可能な水圧でしか、マッサージ用の吐水を行うことができず、十分なマッサージ効果を提供し難いという問題がある。
【０００７】
本発明は、上記従来の問題点に鑑みて発明したものである。そして、その目的とするところは、給水路の上流側が共通する構成において、シャワー水によるシャワー浴を利用可能で、且つシャワー水と異なる圧力に加圧した水によるマッサージを利用可能としたシャワー装置を提供するにある。
【課題を解決するための手段】
【０００８】
本発明のシャワー装置は、座部及び背もたれ部と、前記座部に座った利用者にシャワー水を噴出するシャワー浴部と、前記利用者に水を噴射する水マッサージ部と、前記シャワー浴部及び前記水マッサージ部に水を供給する給水路と、前記水マッサージ部に供給する水を加圧する加圧ポンプとを備え、前記給水路の下流側が流路切替弁を介して、前記水マッサージ部に連通する第１流路と、前記シャワー浴部に連通する第２流路とに分岐し、前記加圧ポンプで加圧した水を前記水マッサージ部のみに供給する状態を有することを特徴とする。
【０００９】
また、前記給水路の前記流路切替弁より上流側が前記流路切替弁で、前記第１流路のみに連通する状態と、前記第２流路のみに連通する状態とに切替自在であることが好ましい。
【００１０】
また、前記第１流路に前記加圧ポンプを設けたことが好ましい。
【００１１】
また、前記給水路の前記流路切替弁より上流側が前記流路切換弁を介して、前記第１流路及び前記第２流路と連通する状態を有し、この状態の場合に、前記加圧ポンプが前記水を加圧することが好ましい。
【００１２】
また、前記シャワー浴部として、前記シャワー水を噴霧するミストシャワー部と、前記利用者の頭上に前記シャワー水を噴出する頭上シャワー部との両方を備えることが好ましい。
【００１３】
また、前記給水路の上流側が前記流路切替弁を介して前記シャワー浴部に連通する状態において、前記シャワー浴部として前記ミストシャワー部のみに連通する場合と、前記シャワー浴部として前記頭上シャワー部のみに連通する場合とに切換え自在であることが好ましい。
【００１４】
また、前記シャワー浴部として、前記シャワー水を噴霧するミストシャワー部と、前記利用者の頭上に前記シャワー水を噴出する頭上シャワー部とのうち一方を備えることが好ましい。
【００１５】
また、前記水マッサージ部が、一つの噴射口から噴射方向を切り替えながら前記水を噴射する噴射ノズルを備えることが好ましい。
【００１６】
また、前記背もたれ部に凹陥部を設け、前記凹陥部から前記噴射口を突没自在で前記水マッサージ部を前記凹陥部に配置したことが好ましい。
【発明の効果】
【００１７】
本発明は、シャワー浴を行うことができ、且つ加圧した水の噴射によるマッサージを行うことができる。
【図面の簡単な説明】
【００１８】
【図１】本発明の第１実施形態の配管構成図である。
【図２】（ａ）は同上の流路切換弁を介して給水路の上流側が第１流路のみと連通する状態の説明図であり、（ｂ）は同上の給水路の上流側が第２流路のみと連通する状態の説明図である。
【図３】（ａ）は同上の給水路の上流側が第１流路及び第２流路と連通する状態の説明図であり、（ｂ）は同上の給水路の上流側が第２流路及び第３流路と連通する状態の説明図である。
【図４】同上の一例を示し、（ａ）は正面図であり、（ｂ）は座部及び背もたれ部を透視した状態の正面図である。
【図５】（ａ）は同上の側面図であり、（ｂ）は平面図である。
【図６】同上の水マッサージ部の一例を示し、（ａ）は斜視図であり、（ｂ）は断面図である。
【図７】同上の水噴射の説明図である。
【図８】同上の変形例（第２例）を示し、（ａ）は正面図であり、（ｂ）は座部及び背もたれ部を透視した状態の正面図である。
【図９】（ａ）は同上の側面図であり、（ｂ）は平面図である。
【図１０】同上の他の変形例（第３例）を示し、（ａ）は正面図であり、（ｂ）は座部及び背もたれ部を透視した状態の正面図である。
【図１１】同上の配管構造図である。
【図１２】同上の他の変形例（第４例）の配管構造図である。
【図１３】同上の他の変形例（第５例）の配管構造図である。
【図１４】第２実施形態の一例（第６例）を示し、（ａ）は正面図であり、（ｂ）は座部及び背もたれ部を透視した状態の正面図である。
【図１５】（ａ）は同上の側面図であり、（ｂ）は平面図である。
【図１６】同上の配管構成図である。
【図１７】同上の流路切換弁を介して給水路の上流側が第１流路のみと連通する状態の説明図である。
【図１８】（ａ）は同上の流路切換弁を介して給水路の上流側と第１流路及び第２流路の一つとが連通する状態の説明図であり、（ｂ）は同上の給水路の上流側と第２流路の一つ及び第３流路とが連通する状態の説明図である。
【図１９】（ａ）は同上の給水路の上流側が第２流路の両方と連通する状態の説明図であり、（ｂ）は同上の給水路の上流側が第１流路及び第２流路の両方と連通する状態の説明図である。
【図２０】閉塞状態における排水機構の説明図である。
【図２１】同上の変形例（第７例）の配管構造図である。
【図２２】同上の他の変形例（第８例）の配管構成図である。
【図２３】同上の他の変形例（第１０例）の配管構成図である。
【図２４】第３実施形態の一例（第１１例）を示し、（ａ）は正面図であり、（ｂ）は座部及び背もたれ部を透視した状態の正面図である。
【図２５】（ａ）は同上の側面図であり、（ｂ）は平面図である。
【図２６】水マッサージ部の変形例の断面図である。
【発明を実施するための形態】
【００１９】
本発明を、添付図面に示す実施形態に基づいて説明する。図４乃至図５は、第１実施形態の一例のシャワー装置を示している。このシャワー装置は、装置本体１と、座部２と、シャワー浴部３（詳細は後述する）と、ハンドシャワー部４と、流体混合部と、水マッサージ部３５とを有する。装置本体１は、フレーム部１４と、背もたれ部１３とを備える。
【００２０】
背もたれ部１３は、両側に前方に向けて上下方向の全長又はほぼ全長にわたって突条部１５を突出しており、左右方向の中央に後方に窪んだ凹みを形成してある。そして、背もたれ部１３の背部には、フレーム部１４が設けてある。フレーム部１４は任意の固定手段によって浴室或いはシャワー室の壁５０に取り付けられ、装置本体１にかかる荷重を支えている。そして、フレーム部１４は下端部から左右一対の支持脚１７が一体に垂下して設けてあり、支持脚１７の下端を浴室或いはシャワー室の床５１に載設して、装置本体１にかかる荷重を支持脚１７でも支えている。
【００２１】
また、フレーム部１４の下端部には座部２が回動自在で設けてある。座部２は上記回動によって背もたれ部１３から前方に向けて略直角に突出させることができ、この突出した状態で、利用者は座部２に座ることができる。そして、座部２はこの突出した状態で脚部１６を回動させて床５１に当接することで、座部２で受けた荷重を装置本体１と脚部１６とに分散することができる。
【００２２】
更に、この突出した状態において、座部２を突出させた回動の向きと逆向きに回動させることで、座部２は略垂直な姿勢になると共に背もたれ部１３の下方（支持脚１７の間）に収納される。そして、座部２はこの収納した状態において、背もたれ部１３よりも前方に突出しない構成になっており、座部２に邪魔されることなく、利用者が背もたれ部１３に沿って背もたれ部１３の前方に起立することができる。そのため、利用者（入浴者）は、座部２に座り且つ背もたれ部１３に凭れたり、背もたれ部１３の前面に起立したりすることで、所定の姿勢に維持される。
【００２３】
流体混合部は、図１に示すように、流体流路と、湯温調整部１８と、流路切替弁７とを備える。湯温調整部１８及び流路切替弁７は流体流路に設けてあり、湯温調整部１８は流路切替弁７より上流に位置する。流体流路は流体（水）が流通され、湯温調整部１８より上流側が冷水流入路１９と温水流入路２０とに分岐する。
【００２４】
冷水流入路１９は上流側が外部の冷水配管（図示せず）に連通接続され、温水流入路２０は上流側が外部の温水配管（図示せず）に連通接続される。そして、冷水配管からの冷水と温水配管からの温水（湯）は湯温調整部１８で混合されると共に、この冷水と温水の混合率が湯温調整部１８で調整変更される。更に、この混合率の調整変更動作は温調操作部２１を操作することで行われ、温調操作部２１は背もたれ部１３の突条部１５に露出して設けてある。以下、流体流路の湯温調整部１８で混合された流体（温水と冷水とで湯温調整された水）の流れる部位を、給水路８とする。なお、上記湯温調整された水は、湯温調整部１８での温水と冷水の混合比において、一方を０とし残りの一方を１として混合した状態（冷水のみや、温水のみの状態）も含む。
【００２５】
また、図１に示すように、給水路８は流路切替弁７より下流側が、水マッサージ部３５に給水する第１流路３６と、シャワー浴部３に給水する第２流路２３と、ハンドシャワー部４に給水する第３流路２４とに分岐する。流路切替弁７は、例えば四方弁となっており、給水路８は、湯温調整部１８で湯温調整された水（以下、単に水と記載する）を、流路切替弁７を介して第１流路３６や第２流路２３や第３流路２４に流入させる。そして、流路切替弁７は、給水路８の流路切替弁７より上流側を第１流路３６や第２流路２３や第３流路２４に連通接続させて水を流入可能とした開放状態と、連通させずに水を流入不可能とした閉塞状態とに給水路８の流通状態を切り替える。
【００２６】
更に、流路切替弁７の上記切替動作は切替操作部２２を操作することで行われ、図５に示すように、切替操作部２２は背もたれ部１３の突条部１５に露出して設けてあり、切替操作部２２は温調操作部２１と上下方向に並んで位置する。以下、給水路８の流路切替弁７より上流側を単に給水路８の上流側とし、流路切替弁７より下流側を端に給水路８の下流側とする。
【００２７】
ハンドシャワー部４は、図４乃至図５に示すように、シャワーホース２４ａと、ハンドシャワーヘッド４ａと、シャワーヘッド保持部２８とで主体が構成される。シャワーホース２４ａはフレキシブルホースにより形成してあり、上流端が第３流路２４の下流端に連通接続され、下流端がハンドシャワーヘッド４ａに連通接続されている。そのため、ハンドシャワー部４は、ハンドシャワーヘッド４ａを手で持って（把持して）自由にハンドシャワーヘッド４ａを移動可能としている。そして、シャワーヘッド保持部２８は、背もたれ部１３の一方（本例では正面視右側）の突条部１５の前面下部に設けてあり、ハンドシャワーヘッド４ａを着脱自在に保持可能となっている。
【００２８】
本例においてシャワー浴部３は、図４乃至図５に示すように、頭上シャワー部５となっている。そして、頭上シャワー部５に給水する第２流路２３の下流側は、剛性を有する管により形成している。この第２流路２３の下流側は、装置本体１の背面又は側面に沿って装置本体１の上方に突出する縦管部２５と、縦管部２５の先端から前方に突出する前管部２７とで構成している。
【００２９】
前管部２７は装置本体１の左右方向の中間位置に位置し、その先端部は斜め前下方に向けて下り傾斜しており、最先端に頭上シャワー部５（頭上シャワー部５のシャワーヘッド５ａ）が設けてある。頭上シャワー部５（シャワーヘッド５ａ）の位置は、座部２に座った利用者の頭部に上方からシャワー水を噴出するような位置となっている。また、頭上シャワー部５（シャワーヘッド５ａ）の高さ位置は、座部２を非突出状態として収納位置に収納した状態で、背もたれ部１３の前方に立った利用者の頭上に上方からシャワー水を噴出することができるような高さ位置となっている。
【００３０】
言い換えると、頭上シャワー部５は、座部２等で利用者の姿勢を維持した状態において、シャワーヘッド５ａからのシャワー水が利用者の頭部を中心にかかる位置となるように、座部２等とシャワーヘッド５ａとの相互の位置関係を規定してある。
【００３１】
水マッサージ部３５は、図４乃至図５に示すように、背もたれ部１３の表面の一部に設けた凹陥部３４に配置してあり、凹陥部３４は背もたれ部１３の上部で且つ左右に所定の間隔を空けて突条部１５間に設けてある。そして、水マッサージ部３５に給水する第１流路３６（給水路８の下流側）には、加圧ポンプ４０が設けてあり、加圧ポンプ４０は、第１流路３６から水マッサージ部３５に供給される水を加圧する。言い換えると、第１流路３６は、加圧ポンプ４０で加圧した水を水マッサージ部３５に供給する。以下、この加圧ポンプ４０で加圧した水（流体）を加圧水とする。
【００３２】
水マッサージ部３５は、例えば、噴射ノズルとなっている。この噴射ノズルは、図６に示すように、本体３５ａと、噴射口３５ｂを有したノズル部３９と、第１回転軸３７と、第２回転軸３８とで主体が構成される。本体３５ａは第１回転軸３７を介して装置本体１に取り付けてあり、装置本体１に対して第１回転軸３７の軸周りに回転自在（図６（ｂ）中の矢印Ａｒ１参照）となっている。そして、本体３５ａの内部は第１回転軸３７を介して第１流路３６に連通接続される。
【００３３】
また、本体３５ａには第２回転軸３８の軸方向の一端が取り付けてあり、第２回転軸３８の内部と本体３５ａ内部の下流とが連通接続される。第２回転軸３８は軸方向の反対側の一端にノズル部３９が取り付けてあり、第２回転軸３８はノズル部３９を伴って本体３５ａに対して軸周りに回転自在（図６（ａ）中の矢印Ａｒ２参照）となっている。そのため、水マッサージ部３５は、第２回転軸３８でノズル部３９を回動させたり、第１回転軸３７で本体３５ａを回動させたりすることで、噴射口３５ｂの向きを変更して、個人の身体特徴差に合わせる等で噴射口３５ｂの位置を調節することができる。そして、水マッサージ部３５は、第１回転軸３７での本体３５ａの回転や第２回転軸３８でのノズル部３９の回転によって、ノズル部３９（噴射口３５ｂ）を凹陥部３４より突出させた状態と、ノズル部３９を凹陥部３４に没入させた状態とに切換自在となっている。そのため、利用者が座部２に着席する際や座部２から起立する際等に、ノズル部３９を凹陥部３４に没入させることで、利用者が上記着席や起立の際に水マッサージ部３５（ノズル部３９）に接触し難くすることができる。更に、水マッサージ部３５を利用する場合に、ノズル部３９（噴射口３５ｂ）を凹陥部３４から突出した状態にすることで、利用者の肩等の水マッサージを行いたい部位に噴射口３５ｂを近づけた状態にし易くすることができる。
【００３４】
また、ノズル部３９は内部が第２回転軸３８の内部と連通接続されており、本体３５ａ内の加圧水が第２回転軸３８を介して供給される。また、ノズル部３９は、フィードバック発振型純流体素子のような発振型純流体素子３９ａが内部に設けてあり、発振型純流体素子３９ａの発振によって、ノズル部３９から噴射する水（噴流）の向きを切り替えられるようになっている。言い換えると、発振型純流体素子３９ａは、主ノズル３９ｃから噴射される噴流をフィードバック管路３９ｂの負圧により、例えば図７に示す第１方向ＳＰ１と第２方向ＳＰ２の交互等のように切り替えながら、ノズル部３９の一つの噴射口３５ｂから噴射させる。
【００３５】
そして、水マッサージ部３５は、ノズル部３９の一つの噴射口３５ｂから噴射方向を切り替えながら加圧水を噴射することで、指圧マッサージのようなマッサージ効果を利用者に得易くすることができる。更に、加圧水が供給されるため、マッサージに好適な圧力に高めた水を噴射し易くなっている。
【００３６】
更に、水マッサージ部３５は、ノズル部３９からの吐水が座部２等で姿勢を保持された利用者の肩に当たり易く且つ本体３５ａやノズル部３９を回動させて個人の身体特徴差に合わせた調節を行い易いように、装置本体１に対して位置を規定してある。
【００３７】
次に、上述のシャワー浴装置における給水路８の切替動作につき説明する。なお、以下の説明に用いる図２、図３等の給水路８の流通状態の説明図において、流路切替弁７の塗潰した部位が、給水路８の上流側に連通しない閉塞状態（非連通）の部位を示し、白抜きの部位が、連通する開放状態の部位を示す。
【００３８】
流路切替弁７は、給水路８の上流側を、第１流路３６、第２流路２３、第３流路２４の三つの流路のうち、選択的に一つの流路に連通させる状態と、選択的に二つの流路に連通させる状態と、全ての流路に連通させる状態とに切り替わる。
【００３９】
一つの流路のみに連通させる状態として、例えば、図２（ａ）に示すように、給水路８の上流側が第１流路３６のみに連通した状態にすることができる。この状態の場合、加圧ポンプ４０が駆動されて、給水路８から加圧水が水マッサージ部３５に供給され、水マッサージ部３５から吐水（水噴射）される。そして、この状態において、第２流路２３及び第３流路２４は給水路８の上流側に連通せず、シャワー浴部３やハンドシャワー部４に給水されない。つまり、給水路８の上流側が第１流路３６のみに連通した状態は、水マッサージ部３５のみ利用可能な水マッサージモードとなっており、水マッサージのみ行うことができる。
【００４０】
また、一つの流路のみに連通させる状態として、例えば、図２（ｂ）に示すように、給水路８の上流側が第２流路２３のみに連通した状態にすることができる。この状態の場合、給水路８から水がシャワー浴部３に供給され、シャワー浴部３から吐水（水噴出）される。そして、この状態において、第１流路３６及び第３流路２４は給水路８の上流側に連通せず、水マッサージ部３５やハンドシャワー部４に給水されないと共に、加圧ポンプ４０が駆動されない。つまり、給水路８の上流側が第２流路２３のみに連通した状態は、シャワー浴部３のみ利用可能なシャワー浴モードとなっており、シャワー浴のみ行うことができる。
【００４１】
また、一つの流路のみに連通させる状態として、例えば、給水路８の上流側が第３流路２４のみに連通した状態にすることができる。この状態の場合、給水路８から水がハンドシャワー部４に供給され、ハンドシャワー部４から吐水（水噴出）される。そして、水マッサージ部３５やハンドシャワー部４に給水されないと共に、加圧ポンプ４０が駆動されない。つまり、給水路８の上流側が第３流路２４のみに連通した状態は、ハンドシャワー部４のみ利用可能なハンドシャワーモードとなっており、把持したハンドシャワー部４からのシャワー水での身体洗浄等のハンドシャワーのみを行うことができる。
【００４２】
次に、選択的に二つの流路に連通させる状態として、例えば、図３（ａ）に示すように、給水路８の上流側が第１流路３６と第２流路２３とに連通した状態にすることができる。この状態の場合、給水路８から水マッサージ部３５とシャワー浴部３とに給水されると共に、加圧ポンプ４０が駆動されて、水マッサージ部３５には加圧水が供給される。そのため、利用者は水マッサージ部３５及びシャワー浴部３を利用することができ、給水されないハンドシャワー部４を利用することができない。つまり、給水路８の上流側が第１流路３６及び第２流路２３に連通した状態は、水マッサージとシャワー浴とを同時に行うことができるモードとなっている。
【００４３】
また、選択的に二つの流路に連通させる状態として、例えば、給水路８の上流側が第１流路３６と第３流路２４とに連通した状態にすることができる。この状態の場合、図３（ａ）に示す状態で利用可能なシャワー浴部３の代わりに、ハンドシャワー部４を利用可能とした状態となる。つまり、給水路８の上流側が第１流路３６及び第３流路２４に連通した状態は、水マッサージとハンドシャワーとを同時に行うことができるモードとなっている。
【００４４】
また、選択的に二つの流路に連通させる状態として、例えば、図３（ｂ）に示すように、給水路８の上流側が第２流路２３と第３流路２４とに連通した状態にすることができる。この状態の場合、給水路８からシャワー浴部３とハンドシャワー部４とに給水され、水マッサージ部３５には給水されず、加圧ポンプ４０は駆動されない。そのため、利用者はハンドシャワー部４及びシャワー浴部３を利用することができ、給水されない水マッサージ部３５を利用することができない。つまり、給水路８の上流側が第２流路２３及び第３流路２４に連通した状態は、シャワー浴とハンドシャワーとを同時に行うことができるモードとなっている。
【００４５】
そして、開放状態の上記各モード及び閉塞状態への切替（流路切替弁７の切替）は、利用者が切替操作部２２を操作することで行われる。また、切替操作部２２は利用者が座部２に座り背もたれ部１３に背中を凭れかかった状態で操作可能となっており、利用者はこの状態（姿勢）で切替操作部２２を操作して、水マッサージ部３５やシャワー浴部３等の利用を切り替えることができる。
【００４６】
このように、給水路８は上流側が共通で、下流側が水マッサージ部３５、シャワー浴部３、ハンドシャワー部４に各々分岐して連通し、且つ加圧ポンプ４０で加圧した水を水マッサージ部３５のみに供給する状態を有する。そのため、水マッサージ部３５で、シャワー浴部３からのシャワー水に比べて高い圧力に加圧した水を噴射して、指圧マッサージのようなマッサージ（水マッサージ）を行うことができる。そして、頭上シャワー部５をシャワー浴部３として備えたことで、頭部より上方から身体を包み込むようにシャワー水を噴出して、シャワー水で利用者の略全身に包むシャワー浴を行うことができる。そのため、浴槽に入浴した場合のように温熱効果のあるシャワー浴を行い易くなる。
【００４７】
更に、加圧ポンプ４０を第１流路３６に設け、且つ流路切替弁７で給水路８から水マッサージ部３５やシャワー浴部３のみに給水する状態、水マッサージ部３５及びシャワー浴部３に給水する状態等に切替自在になっている。そのため、シャワー浴部３のシャワー水と水マッサージ部３５の水とを同時に異なる圧力で吐出することができ、シャワー水による温浴効果と、加圧水によるマッサージ効果とを同時に利用者に付与する構成にし易くすることができる。
【００４８】
そして、座部２及び背もたれ部１３を有するため、座部２に座って且つ背もたれ部１３に背中を凭れかけた姿勢で、頭上シャワー部５によるシャワー浴を行うことができ、リラックスした状態でシャワー浴を行うことができる。
【００４９】
第１実施形態の変形例として、第２例を示す。なお、前述の第１例と重複する構成は、同じ符号を付し、同じ説明は省略する。以下、本例（第２例）の特徴を説明する。
【００５０】
本例では、図８及び図９に示すように、シャワー浴部３として、頭上シャワー部５の代わりに、ミストシャワー部６を備えてもよい。この例では、シャワー装置が頭上シャワー部５を備えていない。そして、背もたれ部１３の左右両側の上部には、回動自在でアーム１１が設けてある。アーム１１は長手方向の一端を支点に回動することで、背もたれ部１３より前方に起こした突出状態にすることができる。なお、アーム１１は突出状態から回動することで、背もたれ部１３の両側方に垂下した状態にして、邪魔にならないように収容することができる。
【００５１】
また、ミストシャワー部６は、複数の噴霧ノズル３０で主体が構成され、第２流路２３は下流端を噴霧ノズル３０毎に分岐させ、当該下流端を各々一対一の関係で噴霧ノズル３０に連通接続させてある。そして、噴霧ノズル３０は第２流路２３から供給された水を霧状に噴出する。言い換えると、噴霧ノズル３０は霧状にシャワー水を噴出する。
【００５２】
また、噴霧ノズル３０は、アーム側噴霧ノズル３０ａと、背中側噴霧ノズル３０ｂとに区別される。アーム側噴霧ノズル３０ａはアーム１１の長手方向の複数個所に設けられ、アーム１１を突出状態にして利用される。言い換えると、シャワー装置は、アーム１１を突出状態にして、アーム側噴霧ノズル３０ａから霧状のシャワー水（ミスト）を噴出させ、このミストによって利用者の略全身を包み込むようなシャワー浴を行う。
【００５３】
背中側噴霧ノズル３０ｂは背もたれ部１３に設けられ、凹陥部３４より下方に位置する。そして、背中側噴霧ノズル３０ｂは、利用者が背もたれ部１３に背中を凭れた場合に、身体により塞がれない位置に位置し、利用者の背中や腰等に霧状に水を噴出する。なお、背もたれ部１３の表面の一部を凹ませて、この凹み部分の奥底部分に背中側噴霧ノズル３０ｂを臨ませるように配置することが好ましい。
【００５４】
このように、ミストシャワー部６をシャワー浴部３として備えたことで、身体を包み込むようにミストを噴出して、シャワー水を利用者の略全身に噴出させるシャワー浴を行うことができる。そのため、浴槽に入浴した場合のように温熱効果のあるシャワー浴を行い易くなる。そして、座部２及び背もたれ部１３を有するため、座部２等で姿勢を容易に保持してミストによるシャワー浴を行うことができるので、リラックスした状態でシャワー浴を行うことができる。
【００５５】
更に、ミストによるシャワー浴と加圧水による水噴射とを同時に行うことで、シャワー水（ミスト）による温浴効果と、加圧水によるマッサージ効果とを同時に利用者に付与する構成にし易くする（提供し易くする）ことができる。
【００５６】
また、第１実施形態の他の変形例として、第３例を示す。なお、前述の第１例や変形例と重複する構成は、同じ符号を付し、同じ説明は省略する。以下、本例（第３例）の特徴を説明する。
【００５７】
本例では、図１０及び図１１に示すように、加圧ポンプ４０が給水路８の上流側（流路切替弁７より上流側）に設けてある。そして、加圧ポンプ４０は、給水路８の上流側が第１流路３６のみに連通する状態の場合に駆動され、加圧水は水マッサージ部３５のみに供給される。そのため、水マッサージ部３５は加圧水を噴射することができ、加圧水によるマッサージ効果を利用者に付与し易くすることができる。
【００５８】
なお、本例において、給水路８の上流側が下流側の三つの流路全てに連通する状態の場合にも、加圧ポンプ４０が駆動される構成であってもよい。言い換えると、水マッサージとシャワー浴とハンドシャワーとを同時に行う場合にも、加圧ポンプ４０が駆動されてもよい。この場合、水マッサージ部３５とシャワー浴部３とハンドシャワー部４とに給水することによる、各部へ供給する水の圧力の低下を抑制するための水圧低下抑制手段として、加圧ポンプ４０が機能する。そして、水マッサージ部３５は水を噴出する構成になり、利用者に水圧による刺激を与え難くなる。そのため、この場合、前述の加圧水（水噴射）を用いた水マッサージ（水圧でのマッサージ）と異なり、打たせ湯等のように、温熱効果による血流改善（熱でのマッサージ）を行うものとなる。
【００５９】
また、第１実施形態の他の変形例として、第４例を示す。なお、前述の第１例や各変形例と重複する構成は、同じ符号を付し、同じ説明は省略する。以下、本例（第４例）の特徴を説明する。
【００６０】
本例では、図１２に示すように、流路切替弁７が三方弁となっており、給水路８の流路切替弁７より下流側が、第１流路３６と第２流路２３とに分岐する。そして、加圧ポンプ４０は第１流路３６に設けてあり、加圧ポンプ４０は水マッサージ部３５に供給される水のみを加圧する。また、給水路８は流路切替弁７で、給水路８の上流側が、第１流路３６のみに連通する状態、第１流路３６及び第２流路２３に連通する状態、第２流路２３のみに連通する状態に切替自在となっている。
【００６１】
第２流路２３は、シャワー切替弁３２を設けた第４流路となっており、シャワー切替弁３２は三方弁となっている。第４流路は下流側がシャワー切替弁３２で、第２流路２３として機能する流路と、第３流路２４とに分岐する。以下、第４流路において、第２流路２３のシャワー切替弁３２より上流側を、上流部位２３ａとし、下流側の第２流路２３として機能する流路を、下流部位２３ｂとする。
【００６２】
また、第４流路は給水路８の上流側と連通する状態において、上流部位２３ａがシャワー切替弁３２で、下流部位２３ｂと連通する状態と、第３流路２４に連通する状態と、下流部位２３ｂ及び第３流路２４に連通する状態とに切替自在となっている。
【００６３】
切替操作部２２は流路切替弁７とシャワー切替弁３２とを連動して切り替える構成になっている。具体的には、切替操作部２２を操作して水マッサージモードやシャワー浴モード等のモードを選択することで、選択されたモードに応じた給水路８の流通状態に、流路切替弁７やシャワー切替弁３２が切り替わる。
【００６４】
そのため、流路切替弁７及びシャワー切替弁３２で、給水路８の上流側に第２流路２３のシャワー切替弁３２より上流側を介して第３流路２４を連通する状態にすることで、ハンドシャワーを行うことができる。そして、シャワー装置は、流路切替弁７及びシャワー切替弁３２で、給水路８の上流側が上流部位２３ａを介して下流部位２３ｂと連通する状態にすることで、シャワー浴を行うことができる。更に、給水路８の上流側が下流部位２３ｂ及び第３流路２４と連通する状態にすることで、シャワー浴とハンドシャワーとを同時に行うことができる。
【００６５】
そして、流路切替弁７で給水路８の上流側と第１流路３６及び第２流路２３（下流部位２３ｂ）とが連通する状態にすることで、水マッサージと同時に、シャワー浴やハンドシャワーを行うことができる。更に、第１流路３６に加圧ポンプ４０を設けたことで、加圧水を水マッサージ部３５のみに供給して、加圧水によるマッサージを行うことができる。また、切替操作部２２で流路切替弁７とシャワー切替弁３２とを連動して切替自在としたことで、利用者が各モードへの切替操作を行い易くすることができる。
【００６６】
なお、第３例のように、給水路８の上流側に加圧ポンプ４０を設けて、給水路８の上流側が第１流路３６のみに連通する状態でのみ加圧水でのマッサージを行うものとしてもよい。このものでは、加圧ポンプ４０が、複数吐水時の水圧低下抑制手段をさらに兼ねてもよい。
【００６７】
また、第１実施形態の他の変形例として、第５例を示す。なお、前述の第１例や各変形例と重複する構成は、同じ符号を付し、同じ説明は省略する。以下、本例（第５例）の特徴を説明する。
【００６８】
本例では、図１３に示すように、流路切替弁７として、給水路８の上流側から第１流路３６と第３流路２４とに分岐する第１切替弁７ａと、第１流路３６から第１流路３６の下流側と第２流路２３とに分岐する第２切替弁７ｂとの二つ設けてある。そして、流路切替弁７は各々三方弁となっている。更に、第１流路３６の第２切替弁７ｂより下流側の第１流路３６上に加圧ポンプ４０が設けてあり、加圧ポンプ４０は水マッサージ部３５に供給される水のみを加圧する。以下、第１流路３６の第２切替弁７ｂより上流側を、第１流路３６の上流部位３６ａとし、第１流路３６の第２切替弁７ｂより下流側の第１流路３６として機能する流路を、第１流路３６の下流部位３６ｂとする
給水路８の上流側は第１切替弁７ａで、第１流路３６の上流部位３６ａのみに連通する状態、第１流路３６の上流部位３６ａ及び第３流路２４に連通する状態、第３流路２４のみに連通する状態に切替自在となっている。そして、第１流路３６の上流部位３６ａは第２切替弁７ｂで、第１流路３６の下流部位３６ｂのみに連通する状態、第１流路３６の下流部位３６ｂ及び第２流路２３に連通する状態、第２流路２３のみに連通する状態に切替自在となっている。更に、切替操作部２２は第１切替弁７ａと第２切替弁７ｂとを連動して切り替える構成になっており、切替操作部２２を操作して各モードへの切り替えることができる。
【００６９】
そのため、加圧水によるマッサージやシャワー浴やハンドシャワーを単体や複数組み合わせた状態等で行うことができる。そして、マッサージモードやマッサージモードと他のモードとを組み合わせた状態において、水マッサージ部３５で加圧水を用いたマッサージを行うことができ、利用者がマッサージ効果を得易くすることができる。
【００７０】
更に、マッサージモードとシャワー浴モードとを同時に行う状態を有することで、シャワー水による温浴効果と、加圧水によるマッサージ効果とを同時に利用者に付与する構成にし易くする（提供し易くする）ことができる。また、切替操作部２２で二つの流路切替弁７を連動して切替自在としたことで、利用者が各モードへの切替操作を行い易くすることができる。
【００７１】
なお、加圧ポンプ４０は、第１流路３６の第２切替弁７ｂより上流側（上流部位３６ａ）に設けてもよい。このものでは、第１流路３６の上流部位３６ａが第１流路３６の下流側に連通する状態で且つ第２流路２３に連通しない状態の場合に、水マッサージ部３５でのマッサージを行うことができる。もちろん、加圧ポンプ４０は、第１流路３６の上流部位３６ａが第１流路３６の下流側及び第２流路２３に連通する状態では水圧低下抑制手段として機能してもよい。
【００７２】
また、第２実施形態の一例として、第６例を示す。なお、前述の第１実施形態と重複する構成は、同じ符号を付し、同じ説明は省略する。以下、本例（第６例）の特徴を説明する。
【００７３】
本例では、図１４及び図１５に示すように、シャワー浴部３として、頭上シャワー部５と、ミストシャワー部６との両方を有する。また、図１６では、二つのシャワー浴部３を、第１シャワー浴部３ａ、第２シャワー浴部３ｂと記す。そして、第１シャワー浴部３ａは、頭上シャワー部５とミストシャワー部６とのうちの一方のシャワー浴部３になっており、第２シャワー浴部３ｂは、第１シャワー浴部３ａと異なるもう一方の（残り一方の）シャワー浴部３になっている。つまり、第１シャワー浴部３ａが頭上シャワー部５であれば、第２シャワー浴部３ｂがミストシャワー部６となり、第１シャワー浴部３ａがミストシャワー部６であれば、第２シャワー浴部３ｂが頭上シャワー部５となる。
【００７４】
流路切替弁７は、図１６に示すように、五方弁となっており、給水路８の下流側が、一つの第１流路３６と、二つの第２流路２３と、一つの第３流路２４とに分岐する。この二つの第２流路２３のうち、一つの第２流路２３が頭上シャワー部５に連通接続してあり、残りの一つの第２流路２３がミストシャワー部６に連通接続してある。言い換えると、第２流路２３は各々異なるシャワー浴部３に給水する。
【００７５】
流路切替弁７で切替自在の状態は、第２流路２３に連通しない場合、給水路８の上流側が、第１流路３６のみに連通する状態、第３流路２４のみに連通する状態、第１流路３６及び第３流路２４に連通する状態を有する。
【００７６】
具体的には、例えば、給水路８の上流側が第１流路３６のみに連通する状態で、図１７に示すように、水マッサージ部３５のみに給水される。そして、水マッサージ部３５に供給される水は加圧ポンプ４０で加圧される。そのため、水マッサージ部３５から加圧水を噴射することができ、水マッサージを行うことができる。
【００７７】
また、一つの第２流路２３に連通する場合では、給水路８の上流側が、一つの第２流路２３のみに連通する状態、第１流路３６にも連通する状態、第３流路２４にも連通する状態、第１流路３６及び第３流路２４にも連通する状態を有する。
【００７８】
具体的には、例えば、給水路８の上流側が第１流路３６と一つの第２流路２３とに連通する状態（例えば図１８（ａ）参照）で、水マッサージ部３５及び一つのシャワー浴部３に給水される。そのため、水マッサージ部３５でのマッサージと、一つのシャワー浴部３でのシャワー浴とを同時に行うことができる。
【００７９】
そして、例えば、給水路８の上流側が一つの第２流路２３と第３流路２４とに連通する状態（例えば図１８（ｂ）参照）では、一つのシャワー浴部３及びハンドシャワー部４に給水される。そのため、一つのシャワー浴部３でのシャワー浴と、ハンドシャワー部４でのハンドシャワーとを同時に行うことができる。
【００８０】
更に、例えば、給水路８の上流側が第１流路３６と一つの第２流路２３と第３流路２４とに連通する状態では、水マッサージ部３５及び一つのシャワー浴部３及びハンドシャワー部４に給水される。そのため、水マッサージ部３５での水マッサージと、一つのシャワー浴部３でのシャワー浴と、ハンドシャワー部４でのハンドシャワーとを同時に行うことができる。
【００８１】
また、二つの第２流路２３（第２流路２３の両方）に連通する場合では、給水路８の上流側が、第２流路２３のみに連通する状態、第１流路３６にも連通する状態、第３流路２４にも連通する状態、第１流路３６及び第３流路２４にも連通する状態を有する。
【００８２】
具体的には、例えば、給水路８の上流側が一つの第２流路２３と残り一つの第２流路２３とに連通する状態（両方の第２流路２３のみに連通する状態）で、図１９（ａ）に示すように、両方のシャワー浴部３に給水される。そのため、頭上シャワー部５で利用者の頭部を中心に上方から身体の略全身にシャワー水を噴出し、ミストシャワー部６で身体を包み込むようにミストで噴出し、二つのシャワー浴部３を両方とも用いたシャワー浴を行うことができる。そして、例えば、給水路８の上流側が第１流路３６と両方の第２流路２３とに連通する状態では、図１９（ｂ）に示すように、水マッサージ部３５及び二つのシャワー浴部３に給水される。そのため、水マッサージ部３５での水マッサージと、二つのシャワー浴部３両方共でのシャワー浴とを同時に行うことができる。
【００８３】
このように、本例では、頭上シャワー部５とミストシャワー部６とを選択的に一つ用いたシャワー浴、及び頭上シャワー部５とミストシャワー部６とを両方とも用いたシャワー浴の三種類のシャワー浴を一つのシャワー装置で行うことができる。そして、この三種類のシャワー浴のいずれかと同時に、加圧水を用いた水マッサージを行うことができ、利用者にシャワー水による温浴効果と加圧水によるマッサージ効果とを同時に提供し易くすることができる。
【００８４】
また、閉塞状態において、図２０に示すように、流路切替弁７で給水路８の上流側に連通せずに、二つの第２流路２３及び第３流路２４を連通する状態に切替自在となっている。この状態に切り替えることで、シャワー浴部３や第２流路２３内の残水がハンドシャワー部４から排水される。なお、加圧ポンプ４０への注水を検知可能な水検知部を備える等で、加圧ポンプ４０の空転を抑制した構成であれば、閉塞状態において、水マッサージ部３５及び第１流路３６内の残水もハンドシャワー部４から排水可能な構成としてもよい。
【００８５】
また、第２実施形態における変形例（第７例乃至第１０例）を説明する。なお、前述の第１実施形態や第６例と重複する構成は、同じ符号を付し、同じ説明は省略する。以下、各変形例の特徴を説明する。
【００８６】
第７例は、図２１に示すように、シャワー浴部３を二つ有し、且つ第４例の配管構成を基礎として、流路切替弁７を四方弁に変更した構成になっている。加圧ポンプ４０は第１流路３６に設けられる。そして、給水路８の下流側は流路切替弁７で、第１流路３６と、シャワー切替弁３２を設けた一つの第２流路２３（第４流路）と、第４流路と異なる別の第２流路２３（以下、第５流路とする）とに分岐する。第５流路は、第４流路に連通接続したシャワー浴部３と異なる、他のシャワー浴部３に連通接続しており、第４流路と第５流路とは各々異なるシャワー浴部３に給水する。
【００８７】
給水路８の上流側は流路切替弁７で、第１流路３６、第４流路、第５流路と、単体のみや複数同時の組み合わせから選択的に連通可能となっている。具体的には、給水路８の上流側が、第１流路３６のみ、第４流路のみ、第５流路のみ、第１流路３６及び第４流路、第１流路３６及び第４流路、第４流路及び第５流路に連通する状態を選択的に切替自在となっている。
【００８８】
このような構成にしたことで、頭上シャワー部５とミストシャワー部６とを選択的に一つ用いたシャワー浴、及び頭上シャワー部５とミストシャワー部６とを両方とも用いたシャワー浴の三種類のシャワー浴を一つのシャワー装置で行うことができる。そして、この三種類のシャワー浴のいずれかと同時に、加圧水を用いた水マッサージを行うことができ、シャワー水による温浴効果と加圧水によるマッサージ効果とを同時に利用者に提供し易くすることができる。更に、切替操作部２２で流路切替弁７とシャワー切替弁３２とを連動して切替自在としたことで、利用者が各モードへの切替操作を行い易くすることができる。
【００８９】
第８例は、図２２に示すように、シャワー浴部３を二つ有し、且つ第１例の配管構成を基礎として、第２流路２３に三方弁のシャワー浴切替弁２９を設けた構成になっている。そして、給水路８の下流側は流路切替弁７で、第１流路３６と第２流路２３と第３流路２４とに分岐する。加圧ポンプ４０は第１流路３６に設けられる。
【００９０】
更に、第２流路２３の下流側はシャワー浴切替弁２９で、一つのシャワー浴部３に給水するための流路と、残りの一つのシャワー浴部３に給水するための別の流路とに分岐する。そのため、給水路８の上流側と第２流路２３の上流側とが連通する状態において、シャワー装置はシャワー浴切替弁２９で、いずれか一つのシャワー浴部３に給水する状態と、両方のシャワー浴部３に給水する状態とに切替自在となっている。
【００９１】
切替操作部２２は流路切替弁７とシャワー浴切替弁２９とを連動して切り替える構成になっている。具体的には、切替操作部２２を操作して頭上シャワー部５によるシャワー浴モードやミストシャワー部６によるシャワー浴モード等のモードを選択することで、選択されたモードに応じた給水路８の流通状態に、流路切替弁７やシャワー浴切替弁２９が切り替わる。
【００９２】
このような構成にしたことで、頭上シャワー部５とミストシャワー部６とを選択的に一つ用いたシャワー浴、及び頭上シャワー部５とミストシャワー部６とを両方とも用いたシャワー浴の三種類のシャワー浴を一つのシャワー装置で行うことができる。そして、この三種類のシャワー浴のいずれかと同時に、加圧水を用いた水マッサージを行うことができ、シャワー水による温浴効果と加圧水によるマッサージ効果とを同時に利用者に提供し易くすることができる。更に、切替操作部２２で流路切替弁７とシャワー浴切替弁２９とを連動して切替自在としたことで、利用者が各モードへの切替操作を行い易くすることができる。
【００９３】
第９例は、図２３に示すように、シャワー浴部３を二つ有し、且つ第５例の配管構成を基礎として、第２切替弁７ｂを四方弁に変更した構成になっている。そして、給水路８の下流側は第１切替弁７ａで、第２切替弁７ｂを設けた第１流路３６（第１流路３６の上流部位３６ａ）と、一つの第２流路２３とに分岐する。加圧ポンプ４０は第１流路３６の下流部位３６ｂに設けられる。
【００９４】
給水路８は第１切替弁７ａで、第１流路３６の上流部位３６ａのみに連通する状態、第２流路２３の一つのみに連通する状態、第１流路３６の上流部位３６ａと第２流路２３とに連通する状態に切替自在となっている。また、上流部位３６ａは第２切替弁７ｂで、第１流路３６の下流部位３６ｂのみに連通する状態、第２流路２３のみに連通する状態、第３流路２４のみに連通する状態、下流部位３６ｂ及び第２流路２３及び第３流路２４に連通する状態に切替自在となっている。そして、上流部位３６ａは上記四つの状態に加えて第２切替弁７ｂでさらに、下流部位３６ｂ及び第２流路２３に連通する状態、下流部位３６ｂ及び第３流路２４に連通する状態、第２流路２３及び第３流路２４に連通する状態に切替自在となっている。
【００９５】
このような構成にしたことで、頭上シャワー部５とミストシャワー部６とを選択的に用いたシャワー浴、及び頭上シャワー部５とミストシャワー部６とを両方用いたシャワー浴の三種類のシャワー浴を一つのシャワー装置で行うことができる。そして、この三種類のシャワー浴のいずれかと同時に、加圧水を用いた水マッサージを行うことができ、シャワー水による温浴効果と加圧水によるマッサージ効果とを同時に利用者に提供し易くすることができる。更に、切替操作部２２で二つの流路切替弁７（第１切替弁７ａ、第２切替弁７ｂ）を連動して切替自在としたことで、利用者が各モードへの切替操作を行い易くすることができる。
【００９６】
第１０例は、特に図示しないが、シャワー浴部３を二つ有し、且つ第５例の配管構成を基礎として、第１切替弁７ａを四方弁に変更した構成になっている。そして、給水路８の下流側は第１切替弁７ａで、第２切替弁７ｂを設けた第１流路３６（第１流路３６の上流部位３６ａ）と、二つの第２流路２３とに分岐する。第１流路３６は第１切替弁７ａで、下流部位３６ｂと、第３流路２４とに分岐する。加圧ポンプ４０は下流部位３６ｂに設けられる。
【００９７】
給水路８は第１切替弁７ａで、第１流路３６の上流部位３６ａのみに連通する状態、第２流路２３の一つのみに連通する状態、両方の第２流路２３のみに連通する状態に切替自在となっている。そして、給水路８は第１切替弁７ａでさらに、第１流路３６の上流部位３６ａ及び一つの第２流路２３に連通する状態、第１流路３６の上流部位３６ａ及び両方の第２流路２３に連通する状態に切替自在となっている。また、上流部位３６ａは第２切替弁７ｂで、下流部位３６ｂのみに連通する状態、下流部位３６ｂ及び第３流路２４に連通する状態、第３流路２４のみに連通する状態に切替自在となっている。
【００９８】
このような構成にしたことで、頭上シャワー部５とミストシャワー部６とを選択的に一つ用いたシャワー浴、及び頭上シャワー部５とミストシャワー部６とを両方とも用いたシャワー浴の三種類のシャワー浴を一つのシャワー装置で行うことができる。そして、この三種類のシャワー浴のいずれかと同時に、加圧水を用いた水マッサージを行うことができ、シャワー水による温浴効果と加圧水によるマッサージ効果とを同時に利用者に提供し易くすることができる。更に、切替操作部２２で二つの流路切替弁７を連動して切替自在としたことで、利用者が各モードへの切替操作を行い易くすることができる。
【００９９】
また、第３実施形態の一例として、第１１例を示す。なお、前述の各実施形態と重複する構成は、同じ符号を付し、同じ説明は省略する。以下、本例（第１１例）の特徴を説明する。
【０１００】
本例では、図２４及び図２５に示すように、水マッサージ部３５を背もたれ部１３の上端に突出して設けた構成になっている。加圧ポンプ４０は、図２４（ｂ）に示すように、第１流路３６に設けられる。
【０１０１】
このような構成にしたことで、シャワー浴部３（頭上シャワー部５）からのシャワー水に比べて高い圧力にした加圧水を水マッサージ部３５から噴射することができ、この加圧水により水マッサージを行うことができる。そして、シャワー浴と同時に、加圧水を用いた水マッサージを行うことができ、利用者にシャワー水による温浴効果と加圧水によるマッサージ効果とを同時に提供し易くすることができる。
【０１０２】
更に、背もたれ部１３に水マッサージ部３５を配置したものに比べて、装置本体１内の加圧ポンプ４０を配置するスペースを確保し易くしたり、背もたれ部１３の前方への突出量を抑えたりした構成にし易くすることができる。そして、水マッサージ部３５が背もたれ部１３より上方に突出して位置するため、利用者が回動操作する場合に、この操作にシャワー装置の構成部材が干渉し難くすることができ、回動操作を行い易い構成にすることができる。
【０１０３】
また、本実施形態において、シャワー浴部３として、頭上シャワー部５を設けた構成のみに限らず、ミストシャワー部６を設けた構成や、頭上シャワー部５とミストシャワー部６の両方を設けた構成であってもよい。
【０１０４】
なお、本発明は各実施形態で例示の構成のみに限定されるものではなく、本発明の意図する範囲内であれば、各実施形態で例示の構成において適宜の設計変更を行うことが可能である。例えば、第５例や第８例において、給水路８の下流側が第１切替弁７ａで、第３流路２４の代わりに第２流路２３に分岐し、第１流路３６から第２切替弁７ｂで第３流路２４に分岐する構成としてもよい。また、例えば、シャワー浴切替弁２９や第２切替弁７ｂやシャワー切替弁３２用の操作部を切替操作部２２と別に設けた構成であってもよい。
【０１０５】
また、第１切替弁７ａと第２切替弁７ｂとを備え、且つ少なくとも一つの第２流路２３を第１切替弁７ａで分岐した構成において、例えば、加圧ポンプ４０を第１流路３６の上流部位３６ａに設けてもよい。このものでは、第１流路３６の上流部位３６ａが第２切替弁７ｂで第１流路３６の下流部位３６ｂのみに連通する状態で、水マッサージを行うことができる。つまり、このものでは、第１切替弁７ａで分岐した第２流路２３から給水されるシャワー浴部３によるシャワー浴と同時に、加圧水を用いた水マッサージを行うことができる。
【０１０６】
また、水マッサージ部３５の噴射ノズルは、発振型純流体素子３９ａを用いたものに限らず、例えば、図２６に示す変形例のように、可撓性を有したチューブ４３を用いたものであってもよい。この例では、加圧水がチューブ４３に流入した際に、チューブ４３内を流れる噴流（加圧水の流れ）の乱れによってチューブ４３が振動し、この振動にて噴射口３５ｂからの水の噴射方向を切り替える構成になっている。
【０１０７】
また、装置本体１に座部２を移動して（実施形態では回動して）収納自在とした構成に限らず、例えば、座部２を装置本体１に対して突出した姿勢で固定したものであってもよい。また、シャワー装置は、ハンドシャワー部４を備えないものであってもよい。また、アーム１１を備えた例において、例えばアーム１１を装置本体１（背もたれ部１３）の上方位置の一側にのみ設けたものであってもよい。また、アーム１１は回動により収納自在のものに限らず、例えば、スライド移動により収納自在のものや、回動やスライド自在であるが収納自在でないものや、前方に突出した姿勢で固定されたもの等であってもよい。
【符号の説明】
【０１０８】
２  座部
３  シャワー浴部
５  頭上シャワー部
６  ミストシャワー部
７  流路切替弁
８  給水路
１３  背もたれ部
２３  第２流路
３４  凹陥部
３５  水マッサージ部
３５ｂ  噴射口
３６  第１流路
４０  加圧ポンプ
【図１】
2013143995.tif 000003
【図２】
2013143995.tif 000004
【図３】
2013143995.tif 000005
【図４】
2013143995.tif 000006
【図５】
2013143995.tif 000007
【図６】
2013143995.tif 000008
【図７】
2013143995.tif 000009
【図８】
2013143995.tif 000010
【図９】
2013143995.tif 000011
【図１０】
2013143995.tif 000012
【図１１】
2013143995.tif 000013
【図１２】
2013143995.tif 000014
【図１３】
2013143995.tif 000015
【図１４】
2013143995.tif 000016
【図１５】
2013143995.tif 000017
【図１６】
2013143995.tif 000018
【図１７】
2013143995.tif 000019
【図１８】
2013143995.tif 000020
【図１９】
2013143995.tif 000021
【図２０】
2013143995.tif 000022
【図２１】
2013143995.tif 000023
【図２２】
2013143995.tif 000024
【図２３】
2013143995.tif 000025
【図２４】
2013143995.tif 000026
【図２５】
2013143995.tif 000027
【図２６】
2013143995.tif 000028